【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
下記の構造を有する化合物：
【化１】
2004149512.tif 000001
式中、
mおよびnは独立して1〜500であり、qおよびvは独立して0または1であり、
【化２】
2004149512.tif 000002
は脂環族エポキシ部分であり、ここでエポキシ基は単環式、二環式または三環式環構造に融合されており、前記構造は1または2以上の異種原子を含有することができ、
R、R’およびR”は独立して水素、1〜12個の炭素原子を有するアルキル基、または環構造内に3〜10個の炭素原子を有する芳香族もしくはヘテロ芳香族の環または融合環であり、ここで異種原子はN、OまたはSであり、
Gは−OR、−SR、または−N(R)(R’) であり、ここでRおよびR’は上に定義したとおりであるか、あるいは
Gは1〜12個の炭素原子を有するアルキル基であるか、あるいは
Gは環構造内に3〜10個の炭素原子を有する芳香族もしくはヘテロ芳香族の環または融合環であり、
ZおよびZ’は任意のモノマー、オリゴマーまたはポリマーの有機部分であり、
Xは直接結合または
【化３】
2004149512.tif 000003
から成る群から選択される官能基であり、
ただし、脂環族エポキシ部分がエポキシシクロヘキサンであるとき、Xは酸素であることができない。
【請求項２】
脂環族エポキシ部分が置換および非置換の5並びに6員の環式環；置換および非置換の6、7並びに8員の二環式環；置換および非置換の9、10並びに11員の三環式環から成る群から選択され、ここで環上の任意の置換基は低級アルキル基である、請求項1に記載の化合物。
【請求項３】
下記の構造から成る群から選択される構造を有する請求項1に記載の化合物：
【化４】
2004149512.tif 000004
【化５】
2004149512.tif 000005
式中、nおよびmはほぼ11であり、そして分子量はほぼ17,000である。
【請求項４】
下記の構造を有する化合物：
【化６】
2004149512.tif 000006
式中、
mおよびnは独立して1〜500であり、qおよびvは独立して0または1であり、
【化７】
2004149512.tif 000007
は脂環族エポキシ部分であり、ここでエポキシ基は単環式、二環式または三環式環構造に融合されており、前記構造は1または2以上の異種原子を含有することができ、
Gは−OR、−SR、または−N(R)(R’) であり、ここでRおよびR’は独立して水素、1〜12個の炭素原子を有するアルキル基、または環構造内に3〜10個の炭素原子を有する芳香族もしくはヘテロ芳香族の環または融合環であり、あるいは
Gは1〜12個の炭素原子を有するアルキル基であるか、あるいは
Gは環構造内に3〜10個の炭素原子を有する芳香族もしくはヘテロ芳香族の環または融合環であり、
ZおよびZ’は任意のモノマー、オリゴマーまたはポリマーの有機部分であり、
Xは直接結合または
【化８】
2004149512.tif 000008
から成る群から選択される官能基である。
【請求項５】
脂環族エポキシ部分が置換および非置換の5並びに6員の環式環；置換および非置換の6、7並びに8員の二環式環；置換および非置換の9、10並びに11員の三環式環から成る群から選択され、ここで環上の任意の置換基は低級アルキル基である、請求項4に記載の化合物。
【請求項６】
下記の構造から成る群から選択される構造を有する請求項4に記載の化合物：
【化９】
2004149512.tif 000009
【化１０】
2004149512.tif 000010
。
【請求項７】
下記の構造を有する化合物：
【化１１】
2004149512.tif 000011
式中、
mおよびnは独立して1〜500であり、qおよびvは独立して0または1であり、
【化１２】
2004149512.tif 000012
は脂環族エポキシ部分であり、ここでエポキシ基は単環式、二環式または三環式環構造に融合されており、前記構造は1または2以上の異種原子を含有することができ、
RおよびR’は独立して水素、1〜12個の炭素原子を有するアルキル基、または環構造内に3〜10個の炭素原子を有する芳香族もしくはヘテロ芳香族の環または融合環であり、あるいは
ZおよびZ’は任意のモノマー、オリゴマーまたはポリマーの有機部分であり、
Xは直接結合または
【化１３】
2004149512.tif 000013
から成る群から選択される官能基である。
【請求項８】
脂環族エポキシ部分が置換および非置換の5並びに6員の環式環；置換および非置換の6、7並びに8員の二環式環；置換および非置換の9、10並びに11員の三環式環から成る群から選択され、ここで環上の任意の置換基は低級アルキル基である、請求項7に記載の化合物。
【請求項９】
下記の構造から成る群から選択される構造を有する請求項7に記載の化合物：
【化１４】
2004149512.tif 000014
【化１５】
2004149512.tif 000015
。
【請求項１０】
下記の構造を有する化合物：
【化１６】
2004149512.tif 000016
式中、
mおよびnは独立して1〜500であり、qおよびvは独立して0または1であり、
【化１７】
2004149512.tif 000017
は脂環族エポキシ部分であり、ここでエポキシ基は単環式、二環式または三環式環構造に融合されており、前記構造は1または2以上の異種原子を含有することができ、
R、R’およびR”は独立して水素、1〜12個の炭素原子を有するアルキル基、または環構造内に3〜10個の炭素原子を有する芳香族もしくはヘテロ芳香族の環または融合環であり、
Gは−OR、−SR、または−N(R)(R’) であり、ここでRおよびR’は上に定義したとおりであるか、あるいはGは1〜12個の炭素原子を有するアルキル基であるか、あるいはGは環構造内に3〜10個の炭素原子を有する芳香族もしくはヘテロ芳香族の環または融合環であり、
ZおよびZ’は任意のモノマー、オリゴマーまたはポリマーの有機部分であり、
Xは直接結合または
【化１８】
2004149512.tif 000018
から成る群から選択される官能基である。
【請求項１１】
下記の構造を有する請求項10に記載の化合物：
【化１９】
2004149512.tif 000019
。
【請求項１２】
下記の構造を有する化合物：
【化２０】
2004149512.tif 000020
式中、
mおよびnは独立して1〜500であり、qおよびvは独立して0または1であり、
【化２１】
2004149512.tif 000021
は脂環族エポキシ部分であり、ここでエポキシ基は単環式、二環式または三環式環構造に融合されており、前記構造は1または2以上の異種原子を含有することができ、
Gは−OR、−SR、または−N(R)(R’) であり、ここでRおよびR’は独立して水素、1〜12個の炭素原子を有するアルキル基、または環構造内に3〜10個の炭素原子を有する芳香族もしくはヘテロ芳香族の環または融合環であるか、あるいは
Gは1〜12個の炭素原子を有するアルキル基であるか、あるいは
Gは環構造内に3〜10個の炭素原子を有する芳香族もしくはヘテロ芳香族の環または融合環であり、
ZおよびZ’は任意のモノマー、オリゴマーまたはポリマーの有機部分であり、
Xは直接結合または
【化２２】
2004149512.tif 000022
から成る群から選択される官能基である。
【請求項１３】
下記の構造を有する請求項12に記載の化合物：
【化２３】
2004149512.tif 000023
。
【請求項１４】
下記の構造を有する化合物：
【化２４】
2004149512.tif 000024
式中、
mおよびnは独立して1〜500であり、qおよびvは独立して0または1であり、
【化２５】
2004149512.tif 000025
は脂環族エポキシ部分であり、ここでエポキシ基は単環式、二環式または三環式環構造に融合されており、前記構造は1または2以上の異種原子を含有することができ、
RおよびR’は独立して水素、1〜12個の炭素原子を有するアルキル基、または環構造内に3〜10個の炭素原子を有する芳香族もしくはヘテロ芳香族の環または融合環であるか、あるいは
ZおよびZ’は任意のモノマー、オリゴマーまたはポリマーの有機部分であり、
Xは直接結合または
【化２６】
2004149512.tif 000026
から成る群から選択される官能基である。
【請求項１５】
下記の構造を有する請求項14に記載の化合物：
【化２７】
2004149512.tif 000027
。
【手続補正２】
【補正対象書類名】明細書
【補正対象項目名】００１３
【補正方法】変更
【補正の内容】
【００１３】
【化７】
2004149512.tif 000028
は脂環族エポキシ部分である；ここでエポキシ基は環式、二環式または三環式環構造に融合されており、前記構造は1または2以上の異種原子 (N、OまたはS) を含有することができ；好ましくは脂環族エポキシ部分は置換および非置換の5並びに6員の環式環；置換および非置換の6、7並びに8員の二環式環；置換および非置換の9、10並びに11員の三環式環から成る群から選択され、ここで環上の任意の置換基は低級アルキル基である；